(57)【要約】      （修正有）【課題】再生モードから撮影モードに入る際に、光学ファインダと電子ファインダを的確に切り換え、撮影者が煩わしい操作をせずに最適な画像観察を行うことのできる撮像装置を提供する。【解決手段】再生モードと撮影モードとを有し、ファインダ光路を光学ファインダと電子ファインダのいずれかに切り換え可能な撮像装置において、ファインダを覗いているか否かを検知するフェイス検知手段（Ｓ１２２）と、前記再生モードから前記撮影モードに入る際に、前記フェイス検知手段によりファインダを覗いていることが検知された場合には、前記再生モードにて切り換えられていた前記電子ファインダを維持させ（Ｓ１２４）、前記フェイス検知手段によりファインダを覗いていないことが検知された場合には、前記光学ファインダに切り換えさせる（Ｓ１４１）ファインダ切換制御手段とを有する。【選択図】図７
2011193075.tif 000002
【特許請求の範囲】
【請求項１】
再生モードと撮影モードとを有し、ファインダ光路を光学ファインダと電子ファインダのいずれかに切り換え可能な撮像装置において、
ファインダを覗いているか否かを検知する接眼検知手段と、
前記再生モードから前記撮影モードに入る際に、前記接眼検知手段によりファインダを覗いていることが検知された場合には、前記再生モードにて切り換えられていた前記電子ファインダを維持させ、前記接眼検知手段によりファインダを覗いていないことが検知された場合には、前記光学ファインダに切り換えさせるファインダ切換制御手段とを有することを特徴とする撮像装置。
【請求項２】
前記ファインダ切換制御手段は、前記再生モードから前記撮影モードに入る際に、前記接眼検知手段によりファインダを覗いていないことが検知された場合に、該検知から所定時間を待って前記光学ファインダに切り換えさせることを特徴とする請求項１に記載の撮像装置。
【請求項３】
前記ファインダ切換制御手段は、前記所定時間内にファインダを覗いていることが検知されたときには、前記光学ファインダに切り換えさせないことを特徴とする請求項２に記載の撮像装置。
【請求項４】
前記ファインダ切換制御手段は、前記所定時間内に撮影準備動作が開始されたときには、前記光学ファインダに切り換えさせないことを特徴とする請求項２に記載の撮像装置。
【請求項５】
前記電子ファインダは、前記ファインダ光路に設けられたファインダ内表示手段を有することを特徴とする請求項１ないし４のいずれか１項に記載の撮像装置。
【請求項６】
前記ファインダ内表示手段は、前記ファインダ光路に設けられた撮像手段からの被写体像を表示することを特徴とする請求項５に記載の撮像装置。
【請求項７】
前記ファインダ内表示手段は、前記撮影光路に設けられた撮像手段からの被写体像を表示することを特徴とする請求項５に記載の撮像装置。
【発明の詳細な説明】
【技術分野】
【０００１】
本発明は、光学ファインダと電子ファインダを具備した撮像装置に関するものである。
【背景技術】
【０００２】
従来、撮影レンズにより結像された光学画像と、撮像素子により生成された電子画像をファインダ内部の表示部に表示し、ミラーの切り換えやハーフミラー等により光路を切り換える。そして、同一のファインダで確認可能な撮像装置が開示（特許文献１）されている。
【０００３】
上記のようなファインダ機能を有する撮像装置では、再生モードで画像を表示する際、背面に設けられた表示部などはバックライトの明るさに限界もあり、明るい屋外ではその表示内容がよく見えないという問題が指摘されている。そのため、ファインダ内部に設けられた表示部に再生画像を表示する構成にすることが可能である。
【先行技術文献】
【特許文献】
【０００４】
【特許文献１】特開２０００−３５２７４０号公報
【発明の概要】
【発明が解決しようとする課題】
【０００５】
特許文献１には、スペースの有効利用を図り、装置全体の小型化が容易な光学ファインダ（ＯＶＦ）と電子ファインダ（ＥＶＦ）の双方の切り換えができる構成が開示されている。しかしながら、ＯＶＦとＥＶＦの切り換えに関する効果的な制御技術についての提案はされていない。
【０００６】
（発明の目的）
本発明の目的は、再生モードから撮影モードに入る際に、光学ファインダと電子ファインダを的確に切り換え、撮影者が煩わしい操作をせずに最適な画像観察を行うことのできる撮像装置を提供しようとするものである。
【課題を解決するための手段】
【０００７】
上記目的を達成するために、本発明の撮像装置は、再生モードと撮影モードとを有し、ファインダ光路を光学ファインダと電子ファインダのいずれかに切り換え可能な撮像装置において、ファインダを覗いているか否かを検知する接眼検知手段と、前記再生モードから前記撮影モードに入る際に、前記接眼検知手段によりファインダを覗いていることが検知された場合には、前記再生モードにて切り換えられていた前記電子ファインダを維持させ、前記接眼検知手段によりファインダを覗いていないことが検知された場合には、前記光学ファインダに切り換えさせるファインダ切換制御手段とを有することを特徴とするものである。
【発明の効果】
【０００８】
以上説明したように、本発明によれば、再生モードから撮影モードに入る際に、光学ファインダと電子ファインダを的確に切り換え、撮影者が煩わしい操作をせずに最適な画像観察を行うことができる。
【図面の簡単な説明】
【０００９】
【図１】本発明の実施例１に係る撮像装置の縦断面図である。
【図２】本発明の実施例１に係るファインダ切り換え状態を示す斜視図である。
【図３】本発明の各実施例に係る撮像装置の背面側の斜視図である。
【図４】本発明の各実施例に係る撮像装置の電気的構成を示すブロック図である。
【図５】本発明の実施例１に係る主要部分の動作を示すフローチャートである。
【図６】図５の続きの動作を示すフローチャートである。
【図７】同じく図５の続きの動作を示すフローチャートである。
【図８】本発明の実施例２に係るファインダ切り換え状態を示す斜視図である。
【図９】本発明の実施例２に係る撮像装置の縦断面図である。
【図１０】本発明の実施例２に係わる主要部分の動作を示すフローチャートである。
【図１１】図１０の続きの動作を示すフローチャートである。
【図１２】同じく図１０の続きの動作を示すフローチャートである。
【図１３】本発明の実施例３に係るファインダ切り換え状態を示す斜視図である。
【図１４】本発明の実施例３に係る主要部分の動作を示すフローチャートである。
【図１５】図１４の続きの動作を示すフローチャートである。
【図１６】同じく図１４の続きの動作を示すフローチャートである。
【発明を実施するための形態】
【００１０】
本発明を実施するための形態は、以下の実施例１ないし３に示す通りである。
【実施例１】
【００１１】
図１（ａ），（ｂ）は本発明の実施例１に係る撮像装置の断面図であり、詳しくは、図１（ａ）はファインダで被写体を観察できるＯＶＦモードの状態を示し、図１（ｂ）はレリーズスイッチが全押しされて撮影可能となった状態を示す。
【００１２】
図１（ａ）において、１は複数のレンズ１ａ，１ｂ，１ｃが組み込まれた撮影レンズであり、カメラ本体２に取り付けられている。３は撮影レンズ１によって集光される被写体光束Ａをファインダ光学系へ導くためのメインミラーであり、略９０度に被写体光束Ａを折り曲げる。４はピント板であり、被写体光束Ａが結像するようになっている。このピント板４で結像された被写体光束Ａはペンタプリズム５で左右及び上下反転され、接眼レンズ６，７，８で拡大され、肉眼で観察できるようになっている。ペンタプリズム５、接眼レンズ６〜８がＯＶＦを形成している。接眼レンズ６〜８は光学性能を出す為に複数のレンズを使用しているが、レンズの枚数は限定されない。ＯＶＦは高精度な撮影レンズ１により結像された被写体光束を接眼レンズで拡大して観察できることより、非常に鮮明できれいな画像が得られることは周知の通りである。９はファインダ光路切換ミラー、１１は第１撮像素子、２０は外部表示器である。
【００１３】
図１（ｂ）は、後述のレリーズスイッチが全押しされて撮影状態になっていて、メインミラー３がアップし、シャッタ１０が開放状態である。よって、撮影レンズ１により結像された光束は障害物がなくなったので、撮影光路を経て第１撮像素子１１へ届き、ここで撮像され、後段の各種回路を介して所定の画像処理が施され、不図示の記憶媒体に記録される。
【００１４】
図２（ａ），（ｂ）は本実施例１において、ＯＶＦとＥＶＦとの切り換え方法について説明するための図である。
【００１５】
図２において、１５は液晶より成るファインダ内表示器、１６は第２撮像素子である。１２，１３，１４はＥＶＦレンズであり、光学性能を出す為に複数のレンズが使用される。このＥＶＦレンズ１２〜１４は、ＯＶＦを成す接眼レンズの内の最終面を構成している接眼レンズ８との組み合わせによってファインダ内表示器１５を適正に拡大できるように設計されている。この最終面を持つ接眼レンズ８をＯＶＦとＥＶＦとで共有する理由としては、接眼レンズ８は、他の外観カバーと同様にファインダ内へのごみの進入を防止する役目もあるためである。なお、ファインダ光路切換ミラー９は蝶番９ａを支点として回動し、ファインダ光路を光学ファインダと電子ファインダのいずれかに切り換える。
【００１６】
図２（ａ）は、ＯＶＦの状態を示している。ＯＶＦ時は、上記したように、被写体光束Ａをペンタプリズム５によって上下、左右反転を行い、接眼レンズ６〜８により拡大する。これにより、ＯＶＦとして観察することができる。
【００１７】
図２（ｂ）は、ＥＶＦの状態を示している。ＥＶＦ時は、図２（ａ）の状態からファインダ光路切換ミラー９を蝶番９ａを支点として回転させ、被写体光束Ａを略９０度折り曲げ、第２撮像素子１６に導き、第２撮像素子１６により撮像された画像をファインダ内表示器１５に表示する。そして、ファインダ内表示器１５の像をＥＶＦレンズ１２〜１４とＯＶＦの接眼レンズ８との組み合わせによって適正に拡大することで、ＥＶＦとして観察することができる。ファインダ光路切換ミラー９は全反射ミラーとして構成できるので、ＥＶＦ表示も明るい見えを確保できる。ファインダ光路切換ミラー９の切り換えにおける動力方式は特に図示していないが、蝶番９ａを支点として回動する移動という最も単純な駆動なので詳細説明がなくても容易に作成できることは言うまでもない。
【００１８】
図３は、本実施例１に係る撮像装置の背面操作系がわかるようにした外観図である。
【００１９】
１８は静止画または動画の再生画像表示を行う再生モードを開始する再生釦である。１９は観察者がファインダを覗き込んでいるかどうかを検知するためのフェイス検知器であり、接眼レンズ８のすぐ下の設置されている。外部表示器２０はフェイス検知器１９の下にあり、観察者がファインダを覗き込んでいないときには、この外部表示器２０を点灯させ、ライブビュー等の表示を観察できるようにしてある。２１はレリーズスイッチであり、第１ストローク（半押し）でスイッチＳＷ１がオンし、第２ストローク（全押し）にてスイッチＳＷ２がオンする構成となっている。２２は測光モード選択釦、２３はＡＦモード選択釦、２４はＩＳＯ感度設定釦であり、これら釦は撮影に関係する撮影関係釦を成す。
【００２０】
図４は、上記構成の撮像装置の主要な電気的構成を示すブロック図である。なお、前述した構成要素と同じ部分は同一記号を付してある。
【００２１】
図４において、撮影レンズ１は、図１に示したレンズ１ａ〜１ｃや絞り、光学フィルタ等により構成され、撮像部２５に被写体像（図１の被写体光束Ａ）を結像する。２５は被写体像を光電変換する撮像部であり、第１撮像素子１１、第２撮像素子１６により構成され、例えば撮像デバイスであるＣＭＯＳが用いられる。撮像デバイスには、ＣＣＤ型、ＣＭＯＳ型及びＣＩＤ型等の様々な形態があり、いずれの形態の撮像デバイスを採用してもよい。
【００２２】
２６は画像処理部であり、撮像部２５によって生成された電気信号を静止画像信号に変換する。２７は圧縮部であり、画像処理部２６によって生成された静止画像信号をレリーズスイッチ２１のスイッチＳＷ２（スイッチ３８）がオンされたタイミングで受け取り、圧縮又は非圧縮する。２８は記録制御部であり、圧縮部２７によって圧縮又は非圧縮された静止画像信号を後述の記録部に記録する制御を行う。２９は記録部であり、記録制御部２８による制御下でスイッチＳＷ２の選択に応じて画像信号を記録するものであり、内部メモリ又は外部のメモリカード等により構成される。
【００２３】
３０は再生部であり、記録部２９に記録された圧縮又は非圧縮の静止画像信号を外部表示器２０及びファインダ内表示器１５に表示する信号に変換する。３１は表示制御部であり、画像処理部２６によって生成されたリアルタイムな静止画像の連続像（動画像ともいう）や、再生部３０によって生成された再生画像の信号を外部表示器２０及びファインダ内表示器１５に伝達して表示させる。この外部表示器２０及びファインダ内表示器１５は、液晶又は小型ブラウン管等により構成される。そして、表示制御部３１による制御下で、撮像部２５及び画像処理部２６によって生成された被写体の動画像又は記録部２９に記録された静止画像を後述の動作説明の如く表示する。
【００２４】
３４は時間計測部であり、フェイス検知器１９により、撮影者がファインダから目を離した瞬間からの時間を計測する。３８は時間設定部であり、撮影者がファインダから目を離した瞬間からファインダ光路をＥＶＦからＯＶＦに戻すタイミングの時間を設定する。３３は判定部であり、現在設定されている撮影モード、各釦が押されたか否か、ファインダ光路がＥＶＦになっているかＯＶＦになっているか、外部表示器２０とファインダ内表示器１５のうちどちらが起動しているかどうかを判定する。また、時間計測部３４により計測された時間が時間設定部３９により設定された時間を経過したか否かを判定する。  
【００２５】
３５は駆動部であり、判定部３３、システム制御部３２による制御下で、シャッタ１０、メインミラー３、ファインダ光路切換ミラー９等を駆動させる。３６はリセット部であり、判定部３３、システム制御部３２による制御下で、時間計測部３４により計測を開始した時間をリセットさせる。上記システム制御部３２は、撮像装置の全体の制御を行うものである。
【００２６】
レリーズスイッチ２１が半押しされてスイッチＳＷ１（スイッチ３７）がオンされる。すると、システム制御部３２は、ＡＦ（オートフォーカス）処理、ＡＥ（自動露出）処理、ＡＷＢ（オートホワイトバランス）処理、ＥＦ（フラッシュプリ発光）処理等の動作開始を指示する。レリーズスイッチ２１が全押しされてスイッチＳＷ２がオンされると、システム制御部３２は、スイッチＳＷ２がオンされたタイミングで撮影処理を行う。撮影処理を簡単に説明すると、撮像部２５で撮影された被写体像が画像処理部２６で処理されて静止画像データが生成され、ここで生成された静止画像データが圧縮部２７に受け渡される。圧縮部２７では、撮像装置側又は撮影者が設定した圧縮率に従い、静止画像データの圧縮処理をするか、非圧縮が設定されている場合は圧縮処理せずに、静止画像データを記録制御部２８に受け渡し、記録部２９に保存される。その後、システム制御部３２は、次の撮影を指示するスイッチＳＷ１からの信号を待つこととなる。
【００２７】
次に、図５〜図７のフローチャートを用いて、再生モード及び再生から撮影モードへの切り換え動作について説明する。
【００２８】
図５において、ステップＳ１０１より動作を開始し、先ずステップＳ１０２にて、システム制御部３２は、再生釦１８が押された（ＯＮされた）かどうかの確認をする。再生釦１８が押されるとステップＳ１０３へ進み、ファインダ光路切換ミラー９による光路がＯＶＦになっているかどうかを確認し、ＯＶＦでない場合、つまりＥＶＦである場合は直ちにステップＳ１０５へ進み、再生表示を開始する。一方、ＯＶＦの場合はステップＳ１０４へ進み、駆動部３５によりファインダ光路切換ミラー９の光路をＥＶＦに切り換え、ステップＳ１０５へ進み、再生表示を開始する。
【００２９】
次のステップＳ１０６では、システム制御部３２は、判定部３３を用いて再生画像の表示器をどれにするかを決定するために、フェイス検知器１９により観察者がファインダを覗き込んでいるかどうか（フェイスの有無）を検知する。観察者がファインダを覗き込んでいれば（フェイス有であれば）ステップＳ１０７へ進み、表示制御部３１を介してファインダ内表示器１５と外部表示器２０の状態を確認する。その結果、ファインダ内表示器１５が起動していて、外部表示器２０が停止している場合は直ちにステップＳ１１１へ進む。一方、ファインダ内表示器１５が停止していて、外部表示器２０が起動している場合はステップＳ１０８へ進み、ファインダ内表示器１５を起動し、外部表示器２０の起動を停止してステップＳ１１１へ進む。
【００３０】
また、上記ステップＳ１０６にて観察者がファインダを覗きこんでいない場合はステップＳ１０９へ進み、システム制御部３２は、表示制御部３１を介してファインダ内表示器１５と外部表示器２０の状態を確認する。その結果、ファインダ内表示器１５が停止し、外部表示器２０が起動している場合は直ちにステップＳ１１１へ進む。一方、ファインダ内表示器１５が起動しており、外部表示器２０が停止している場合はステップＳ１１０へ進み、外部表示器２０を起動し、ファインダ内表示器１５の起動を停止してステップＳ１１１へ進む。
【００３１】
上記のように、ステップＳ１０２，Ｓ１０３，Ｓ１０４にて再生モードになった時点でファインダ光路をＥＶＦに切り換えておく。このことにより、ステップＳ１０６のフェイス検知で観察者がファインダを覗きこんだことを検知したら、すぐに再生画像表示をファインダ内表示器１５にて開始することができる。
【００３２】
以下、再生モードから撮影モードへの切り換え時の動作に入る。
【００３３】
次のステップＳ１１１では、システム制御部３２は、図４に示したＡＦモード選択釦２３等の撮影関連釦が押されたかどうかを判定し、何れも押されていない場合はステップＳ１０６へ戻り、同様の動作を繰り返す。また、何れかの撮影関係釦が押された場合はステップＳ１１２へ進む。
【００３４】
ステップＳ１１２へ進むと、システム制御部３２は、現在のモードがＥＶＦ確認モードかどうかを判定する。なお、ＥＶＦ確認モードとは、撮影時、ＥＶＦによる撮影が適しているモード、例えば白黒撮影やセピア撮影のようにＯＶＦでは事前確認ができないモードの時に撮影前にＥＶＦに効果確認を表示し、撮影するモードである。さらには、撮影後、プレビュー画像をファインダ内表示器１５に一定時間表示するクイックレビュー確認モード、動画撮影モード、連写モードが含まれる。さらには、設定の異なる複数の撮影画像を連続的に撮影するブラケティングモードといった撮影時にＥＶＦによる特殊撮影効果確認や、ミラー駆動させずに撮影した方が良い様な、ＥＶＦが適しているモードであればこれに含まれる。このステップＳ１１２にてＥＶＦ確認モードであることを判定すると、図６のステップＳ１１３へ進み、ＥＶＦ確認モードでなければ図７のステップＳ１２２へ進む。
【００３５】
まず、ステップＳ１１２にてＥＶＦ確認モードであると判定した場合の、再生モードから撮影モードへの切り換え動作について、図６のフローチャートを用いて説明する。
【００３６】
ＥＶＦ確認モードであるとして図６のステップＳ１１３へ進むと、システム制御部３２は、図２や図４に示した第２撮像素子１６による画像の取り込みを開始させ、表示制御部３１によりその画像表示をライブビュー（スルー画）に切り換える。次のステップＳ１１４では、判定部３３を介してフェイス検知器１９により観察者がファインダを覗き込んでいるかどうかを判定し、覗き込んでいればステップＳ１１５へ進む。そして、ステップＳ１１５では、表示制御部３１を介してファインダ内表示器１５が起動していて、外部表示器２０が停止しているかどうかの判定を行い、そうであれば直ちにステップＳ１１９へ進む。そうでない場合はステップＳ１１６へ進み、ファインダ内表示器１５を起動し、外部表示器２０を停止してステップＳ１１９へ進む。
【００３７】
また、上記ステップＳ１１４にて観察者がファインダを覗きこんでいない場合はステップＳ１１７へ進む。そして、システム制御部３２は、表示制御部３１を介してファインダ内表示器１５が停止していて、外部表示器２０が起動している状態かどうかを判定し、そうであれば直ちにステップＳ１１９へ進む。また、そうでない場合はステップＳ１１８へ進み、ファインダ内表示器１５を停止し、外部表示器２０を起動させる。その後はステップＳ１１９へ進む。
【００３８】
上記のように、ＥＶＦ確認モードになっていた場合、フェイス検知により観察者がファインダを覗いている場合はＥＶＦにライブビュー画像を表示し、フェイス検知により観察者がファインダを覗いていない場合は外部表示器２０にライブビュー画像を表示する。
【００３９】
次のステップＳ１１９では、システム制御部３２は、スイッチＳＷ１の状態を確認し、スイッチＳＷ１がオンされていない場合はステップＳ１１４へ戻り、同様の動作を繰り返す。一方、スイッチＳＷ１がオンされていれば、不図示のＡＦ（オートフォーカス）処理、ＡＥ（自動露出）処理、ＡＷＢ（オートホワイトバランス）処理、ＥＦ（フラッシュプリ発光）等の動作開始を指示する。そして、次のステップＳ１２０にて、スイッチＳＷ２の状態を確認し、スイッチＳＷ２がオンされていなければこのステップに留まる。その後、スイッチＳＷ２がオンされるとステップＳ１２１へ進み、スイッチＳＷ２がオンされたタイミングで撮影処理を行う。詳しくは、撮像部２５で撮影された被写体像を画像処理部２６で処理して静止画像データを生成し、ここで生成した静止画像データを圧縮部２７に受け渡す。そして、圧縮部２７にて、カメラ側又は撮影者が設定した圧縮率に従い静止画像データの圧縮処理をするか、非圧縮が設定されている場合は圧縮処理せずに、静止画像データを記録制御部２８に受け渡して記録部２９に保存し、ステップＳ１１４へ戻る。
【００４０】
つまり、ＥＶＦ確認モード時はＯＶＦへの切り換えを行わず、ファインダ内表示器１５または外部表示器２０にライブビュー画像を表示することで、白黒撮影やセピア撮影の様な、効果確認を事前に行いながら撮影を続けることができる。
【００４１】
次に、図５のステップＳ１１２にてＥＶＦ確認モードに設定されていない場合の、再生モードから撮影モードへの切り換え動作について、図７のフローチャートを用いて説明する。
【００４２】
図５のステップＳ１１２にてＥＶＦ確認モードに設定されていない場合、図７のステップＳ１２２へ進み、システム制御部３２は、判定部３３を介してフェイス検知器１９を用いて観察者がファインダを覗き込んでいるかどうかを検知する。その結果、覗き込んでいればステップＳ１２３へ進み、第２撮像素子１６により画像の取り込みを開始させ、表示制御部３１を介してその画像表示をライブビュー（スルー画）に切り換え、ステップＳ１２４へ進む。
【００４３】
ステップＳ１２４では、システム制御部３２は、ファインダ内表示器１５が起動していて、外部表示器２０が停止しているかどうかを判定し、そうであれば直ちにステップＳ１２６へ進む。そうでなければステップＳ１２５へ進み、ファインダ内表示器１５を起動し、外部表示器２０を停止してステップＳ１２６へ進む。そして、次のステップＳ１２６では、スイッチＳＷ１の状態を確認し、オンされていなければステップＳ１２２へ戻り、同様の動作を繰り返す。一方、スイッチＳＷ１がオンされると、不図示のＡＦ処理、ＡＥ処理、ＡＷＢ処理、ＥＦ処理等の動作開始を指示し、ステップＳ１２７へ進む。
【００４４】
次のステップＳ１２７では、システム制御部３２は、スイッチＳＷ２の状態を確認し、オンされていなければオンするまでこのステップに留まる。その後、スイッチＳＷ２がオンされるとステップＳ１２８へ進み、スイッチＳＷ２がオンされたタイミングで撮影処理を行う。その後はステップＳ１２２へ戻る。
【００４５】
また、上記ステップＳ１２２にて観察者がファインダを覗きこんでいないと判定した場合はステップＳ１２９へ進む。そして、システム制御部３２は、時間計測部３４により上記ステップＳ１２２にてファインダを覗き込んでいないと判定されてからの時間の計測を開始させる。そして、次のステップＳ１３０にて、第２撮像素子１６により画像の取り込みを開始し、表示制御部３１を介してその画像表示をライブビュー（スルー画）に切り換える。
【００４６】
次のステップＳ１３１では、システム制御部３２は、表示制御部３１を介してファインダ内表示器１５が停止していて、外部表示器２０が起動している状態かどうかを判定し、そうであれば直ちにステップＳ１３３へ進む。そうでない場合はステップＳ１３２へ進み、外部表示器２０を起動させ、ファインダ内表示器１５を停止する。そして、次のステップＳ１３３にて、判定部３３を介して上記ステップＳ１２９で時間計測部３４によって計測を始めた時間が時間設定部３８により設定した所定時間が経っているかどうかを判定する。時間設定部３８により設定した所定時間が経っている場合はステップＳ１４０へ進み、そうでない場合はステップＳ１３４へ進む。なお、上記所定時間としては、１〜３秒程度が望ましい。再生モードで画像を確認している最中に撮影モードに入った時、ファインダを覗いていればＯＶＦの切り換え動作のタイムラグ無しで直ぐにファインダ内のＥＶＦで撮影出来る構成となる。撮影モードに入った時、ファインダを覗いていなければ、撮影者が覗き込むまでの時間（上記した１〜３秒程度）の間にＯＶＦに戻す構成となる。本来は、一眼レフカメラの利点である鮮明でちらつきの無い光学ファインダ（ＯＶＦ）で撮影したい。しかし、ファインダ内表示器１５で再生画像を確認していた場合に、切り換え時間による撮影までのタイムラグが発生してしまうので、覗き込んだ状態で撮影モードに入った場合はＥＶＦのまま撮影できる構成にしている。
【００４７】
上記のように時間設定部３８により設定した所定時間が経っている場合は、システム制御部３２は、表示制御部３１を介して外部表示器２０を停止し、ステップＳ１４１へ進む。そして、次のステップＳ１４１にて、駆動部３５によりファインダ光路切換ミラー９による光路をＯＶＦに切り換え、ステップＳ１４２へ進む。ステップＳ１４２では、スイッチＳＷ１の状態を判定し、オンされていなければオンされるまでこのステップに留まる。その後、スイッチＳＷ１がオンされると、不図示のＡＦ処理、ＡＥ処理、ＡＷＢ処理、ＥＦ処理等の動作開始を指示する。そして、次のステップＳ１４３にて、スイッチＳＷ２の状態を確認し、オンされていなければオンされるまでこのステップに留まる。その後、スイッチＳＷ２がオンされるとステップＳ１４４へ進み、スイッチＳＷ２がオンされたタイミングで撮影処理を行う。
【００４８】
また、上記のようにステップＳ１３３にて時間設定部３８により設定した所定時間が経っていない場合はステップＳ１３４へ進む。
【００４９】
ここからは、ファインダ光路をＥＶＦからＯＶＦに切り換えないためのシーケンスについて説明する。つまり、観察者がファインダから目を離し、時間設定部３８により設定した所定時間以内に再度ファインダを覗いた場合、もしくは時間設定部３８により設定した所定時間以内にレリーズ動作を行った場合である。
【００５０】
まず、ステップＳ１３４にて、システム制御部３２は、フェイス検知器１９を用いて観察者がファインダを覗いているかどうかを判定し、覗いていればステップＳ１３５へ進む。そして、上記ステップＳ１２９にて時間計測部３４によって計測を始めた時間を時間リセット部３６によりリセットし、ステップＳ１２４へ進む。
【００５１】
また、上記ステップＳ１３４において観察者がファインダを覗き込んでいない場合ステップＳ１３６へ進み、システム制御部３２は、レリーズ動作、すなわちスイッチＳＷ１がオンされたか否かを判定し、オンされていなければステップＳ１３３へ戻る。一方、スイッチＳＷ１がオンされたならばステップＳ１３７へ進み、時間リセット部３６により上記ステップＳ１２９にて時間計測部３４によって計測を始めた時間をリセットして、ＡＦ処理、ＡＥ処理、ＡＷＢ処理、ＥＦ処理等の動作開始を指示する。
【００５２】
次のステップＳ１３８では、スイッチＳＷ２の状態を確認し、オンされていなければオンするまでこのステップに留まる。その後、スイッチＳＷ２がオンされるとステップＳ１３９へ進み、スイッチＳＷ２がオンされたタイミングで撮影処理を行う。その後はステップＳ１２２へ戻る。
【００５３】
上記のようにステップＳ１３６にてスイッチＳＷ１がオンされなかった場合はステップＳ１３３へ進み、システム制御部３２は、判定部３３を介して再度時間設定部３８により設定した時間が経過したかどうかを判定する。
【００５４】
つまり、撮影関係釦が押され、ＥＶＦ確認モードでなかったとき、フェイス検知されていなければ、時間設定部３８により設定した時間の間は外部表示器にライブビュー画像を表示する。そして、時間設定部３８により設定した時間が経過するまでに、再度フェイス検知もスイッチＳＷ１も押されなかった場合はライブビュー表示を停止し、ファインダをＥＶＦからＯＶＦへ切り換える。
【００５５】
時間設定部３８により設定した時間以内に再度フェイス検知、もしくはスイッチＳＷ１がオンされた場合は時間計測をリセットし、ＥＶＦによるライブビュー撮影を続行する。
【００５６】
このような構成にすることにより、例えば設定時間を０秒に設定しておけば、再生時、撮影関係釦が押され、ＥＶＦ確認モードでなかったとき、フェイス検知されていなければすぐにＥＶＦからＯＶＦに切り換わり、ＯＶＦによる撮影に移行することができる。
【００５７】
また、設定時間を無限に設定しておけば、ステップＳ１３３→Ｓ１３４→Ｓ１３５→Ｓ１２４→Ｓ１２５→Ｓ１２６→Ｓ１２７→Ｓ１２８→Ｓ１２２の巡回シーケンスによりファインダ内または外部表示器によるライブビュー撮影を続けることができる。または、ステップＳ１３３→Ｓ１３４→Ｓ１３６→Ｓ１３７→Ｓ１３８→Ｓ１３９→Ｓ１２２の巡回シーケンスによりファインダ内または外部表示器によるライブビュー撮影を続けることができる。
【００５８】
以上により、再生モードから撮影モードへの切り換え時、フェイス検知されている場合はＥＶＦからＯＶＦへのファインダの切り換えを行わず、ＥＶＦとしてライブビュー映像をファインダ内部に表示することで、すぐに被写体像の確認に移行できる。よって、シャッタチャンスを逃すことない構成にすることが出来る。
【００５９】
また、再生モードから撮影モードへの切り換え時、フェイス検知されていない場合は光学ファインダに自動で切り換えることで、撮影者が次にファインダを覗いた時には一眼レフカメラの利点である鮮明でちらつきの無い光学ファインダに切り換わっている。よって、切り換え時の煩わしいカメラ動作を撮影者に見せないようにすることができ、撮影者が煩わしい操作をせずに常に最適なファインダ方式を採用することができる。
【実施例２】
【００６０】
次に、本発明の実施例２について説明する。
【００６１】
図８（ａ），（ｂ）及び図９は本実施例２に係わるＯＶＦとＥＶＦとの切り換えについて図示したものである。実施例１と異なる点は、実施例１のＥＶＦ時、ファインダ内表示器１５に表示する像を撮像するために使用した第２撮像素子１６を使用せず、第１撮像素子１１で撮像し、ファインダ内表示器１５に表示する構成としたものである。
【００６２】
図８（ａ）はＯＶＦ時の状態を示している。実施例１と同じく被写体光束Ａをペンタプリズム５によって上下、左右の反転を行い、接眼レンズ６，７，８により拡大することでＯＶＦとして観察することができる。
【００６３】
図８（ｂ）及び図９はＥＶＦ時の状態を示している。ＥＶＦ時は、メインミラー３をアップさせ、シャッタ１０を開放状態にすることで被写体光束Ａは、第１撮像素子１１へ導かれ、第１撮像素子１１により撮像した画像をファインダ内表示器１５に表示する。実施例１と同様、図８（ａ）の状態からファインダ光路切換ミラー９を蝶番９ａを支点として回転させる。そして、ファインダ内表示器１５の像をＥＶＦレンズ１２、１３、１４とＯＶＦの接眼レンズ８との組み合わせによって適正に拡大することで、ＥＶＦとして観察することができる。
【００６４】
以上の構成における実施例２の動作について、図１０、図１１、図１２のフローチャートを用いて説明する。なお、撮像装置の回路構成は図４と同様であるものとする。
【００６５】
図１０において、ステップＳ２０１より動作を開始し、先ずステップＳ２０２にて、システム制御部３２は、再生釦１８が押されたかどうかの確認をする。再生釦１８が押されるとステップＳ２０３へ進み、ファインダ光路切換ミラー９による光路がＯＶＦになっているかどうかを確認し、ＯＶＦでない場合、つまりＥＶＦである場合は直ちにステップＳ２０５へ進む。一方、ＯＶＦの場合はステップＳ２０４へ進み、駆動部３５によりファインダ光路切換ミラー９の光路をＥＶＦに切り換え、ステップＳ２０５へ進み、メインミラー３をアップさせる。そして、ステップＳ２０６へ進み、再生表示を開始する。
【００６６】
次のステップＳ２０７では、システム制御部３２は、判定部３３を用いて再生画像の表示器をどれにするかを決定するために、フェイス検知器１９により観察者がファインダを覗き込んでいるかどうかを検知する。観察者がファインダを覗き込んでいればステップＳ２０８へ進み、表示制御部３１を介してファインダ内表示器１５と外部表示器２０の状態を確認する。その結果、ファインダ内表示器１５が起動していて、外部表示器２０が停止している場合は直ちにステップＳ２１２へ進む。一方、ファインダ内表示器１５が停止していて、外部表示器２０が起動している場合はステップＳ２０９へ進み、ファインダ内表示器１５を起動し、外部表示器２０の起動を停止してステップＳ２１２へ進む。
【００６７】
また、上記ステップＳ２０７にて観察者がファインダを覗きこんでいない場合はステップＳ２１０へ進み、システム制御部３２は、表示制御部３１を介してファインダ内表示器１５と外部表示器２０の状態を確認する。その結果、ファインダ内表示器１５が停止し、外部表示器２０が起動している場合は直ちにステップＳ２１２へ進む。一方、ファインダ内表示器１５が起動しており、外部表示器２０が停止している場合はステップＳ２１１へ進み、外部表示器２０を起動し、ファインダ内表示器１５の起動を停止してステップＳ１１２へ進む。
【００６８】
次のステップＳ２１２では、駆動部３５によりシャッタ１０を開く。
【００６９】
上記のように、ステップＳ２０２，Ｓ２０３，Ｓ２０４にて再生モードになった時点でファインダ光路をＥＶＦに切り換えておく。このことにより、ステップＳ２０７のフェイス検知で観察者がファインダを覗きこんだことを検知したら、すぐに再生画像表示をファインダ内表示器１５にて開始することができる。
【００７０】
また、撮影モードにてライブビュー表示をする場合、直ぐに画像の取り込みを開始できるようにシャッタ１０を開けておく必要がある。しかし、本実施例２のように、シャッタ１０を開けるタイミングを表示開始後に設定することで、再生表示開始とライブビュー画像取り込み開始をもっとも短縮できるシーケンスになっている。
【００７１】
以下、再生モードから撮影モードへの切り換え時の動作に入る。
【００７２】
次のステップＳ２１３では、システム制御部３２は、図４に示したＡＦモード選択釦２３等の撮影関連釦が押されたかどうかを判定し、何れも押されていない場合はステップＳ２０７へ戻り、同様の動作を繰り返す。また、何れかの撮影関係釦が押された場合はステップＳ２１４へ進む。ステップＳ２１４へ進むと、システム制御部３２は、現在のモードがＥＶＦ確認モードかどうかを判定する。このステップＳ１１２にてＥＶＦ確認モードであることを判定すると、図１１のステップＳ２１５へ進み、ＥＶＦ確認モードでなければ図１２のステップＳ２２４へ進む。
【００７３】
まず、ステップＳ２１４にてＥＶＦ確認モードであると判定した場合の、再生モードから撮影モードへの切り換え動作について、図１１のフローチャートを用いて説明する。
【００７４】
ＥＶＦ確認モードであるとして図１１のステップＳ２１５へ進むと、システム制御部３２は、図１に示した第１撮像素子１１により画像の取り込みを開始させ、表示制御部３１によりその画像表示をライブビュー（スルー画）に切り換える。次のステップＳ２１６では、判定部３３を介してフェイス検知器１９により観察者がファインダを覗き込んでいるかどうかを判定し、覗き込んでいればステップＳ２１７へ進む。そして、ステップＳ２１７では、表示制御部３１を介してファインダ内表示器１５が起動していて、外部表示器２０が停止しているかどうかの判定を行い、そうであれば直ちにステップＳ２２１へ進む。そうでない場合はステップＳ２１８へ進み、ファインダ内表示器１５を起動し、外部表示器２０を停止してステップＳ２２１へ進む。
【００７５】
また、上記ステップＳ２１６にて観察者がファインダを覗きこんでいない場合はステップＳ２１９へ進む。そして、システム制御部３２は、表示制御部３１を介してファインダ内表示器１５が停止していて、外部表示器２０が起動している状態かどうかを判定し、そうであれば直ちにステップＳ２２１へ進む。また、そうでない場合はステップＳ２２０へ進み、ファインダ内表示器１５を停止し、外部表示器２０を起動させる。その後はステップＳ２２１へ進む。
【００７６】
上記のように、ＥＶＦ確認モードになっていた場合、フェイス検知により観察者がファインダを覗いている場合はＥＶＦにライブビュー画像を表示し、フェイス検知により観察者がファインダを覗いていない場合は外部表示器２０にライブビュー画像を表示する。
【００７７】
次のステップＳ２２１では、システム制御部３２は、スイッチＳＷ１の状態を確認し、スイッチＳＷ１がオンされていない場合はステップＳ２１６へ戻り、同様の動作を繰り返す。一方、スイッチＳＷ１がオンされていれば、不図示のＡＦ処理、ＡＥ処理、ＡＷＢ処理、ＥＦ等の動作開始を指示する。そして、次のステップＳ２２２にて、スイッチＳＷ２の状態を確認し、スイッチＳＷ２がオンされていなければこのステップに留まる。その後、スイッチＳＷ２がオンされるとステップＳ２２３へ進み、スイッチＳＷ２がオンされたタイミングでシャッタ１０を一度閉じてから撮影する公知の技術であるＥＶＦ状態からの撮影処理を行う。その後はステップＳ１１４へ戻る。
【００７８】
つまり、ＥＶＦ確認モード時はＯＶＦへの切り換えを行わず、ファインダ内表示器１５または外部表示器２０にライブビュー画像を表示することで、白黒撮影やセピア撮影の様な、効果確認を事前に行いながら撮影を続けることができる。
【００７９】
次に、図１０のステップＳ２１４にてＥＶＦ確認モードに設定されていない場合の、再生モードから撮影モードへの切り換え動作について、図１２のフローチャートを用いて説明する。
【００８０】
図１０のステップＳ２１４にてＥＶＦ確認モードに設定されていない場合、図１２のステップＳ２２４へ進み、システム制御部３２は、判定部３３を介してフェイス検知器１９を用いて観察者がファインダを覗き込んでいるかどうかを検知する。その結果、覗き込んでいればステップＳ２２５へ進み、第１撮像素子１１により画像の取り込みを開始させ、表示制御部３１を介してその画像表示をライブビュー表示に切り換え、ステップＳ２２６へ進む。
【００８１】
ステップＳ２２６では、システム制御部３２は、ファインダ内表示器１５が起動していて、外部表示器２０が停止しているかどうかを判定し、そうであれば直ちにステップＳ２２８へ進む。そうでなければステップＳ２２７へ進み、ファインダ内表示器１５を起動し、外部表示器２０を停止してステップＳ２２８へ進む。そして、次のステップＳ２２８では、スイッチＳＷ１の状態を確認し、オンされていなければステップＳ２２４へ戻り、同様の動作を繰り返す。一方、スイッチＳＷ１がオンされると、不図示のＡＦ処理、ＡＥ処理、ＡＷＢ処理、ＥＦ処理等の動作開始を指示し、ステップＳ２２９へ進む。
【００８２】
次のステップＳ２２９では、システム制御部３２は、スイッチＳＷ２の状態を確認し、オンされていなければオンするまでこのステップに留まる。その後、スイッチＳＷ２がオンされるとステップＳ２３０へ進み、スイッチＳＷ２がオンされたタイミングでシャッタ１０を一度閉じてから撮影する公知の技術であるＥＶＦ状態からの撮影処理を行う。その後はステップＳ２２４へ戻る。
【００８３】
また、上記ステップＳ２２４にて観察者がファインダを覗きこんでいないと判定した場合はステップＳ２３１へ進む。そして、システム制御部３２は、時間計測部３４により上記ステップＳ２２４にてファインダを覗き込んでいないと判定されてからの時間の計測を開始させる。そして、次のステップＳ２３２にて、第１撮像素子１１により画像の取り込みを開始し、表示制御部３１を介してその画像表示をライブビュー画像に切り換える。
【００８４】
次のステップＳ２３３では、システム制御部３２は、表示制御部３１を介してファインダ内表示器１５が停止していて、外部表示器２０が起動している状態かどうかを判定し、そうであれば直ちにステップＳ２３５へ進む。そうでない場合はステップＳ２３４へ進み、外部表示器２０を起動させ、ファインダ内表示器１５を停止する。そして、次のステップＳ２３５にて、判定部３３を介して上記ステップＳ１２９で時間計測部３４によって計測を始めた時間が時間設定部３８により設定した所定時間が経っているかどうかを判定する。時間設定部３８により設定した所定時間が経っている場合はステップＳ２４２へ進み、そうでない場合はステップＳ２３６へ進む。
【００８５】
上記のように時間設定部３８により設定した所定時間が経っている場合は、システム制御部３２は、表示制御部３１を介して外部表示器２０を停止し、ステップＳ２４２へ進む。そして、次のステップＳ２４３にて、駆動部３５を介してメインミラー３をダウンさせ、ステップＳ２４４へ進み、駆動部３５によりファインダ光路切換ミラー９による光路をＯＶＦに切り換え、ステップＳ２４５へ進む。次のステップＳ２４５では、駆動部３５を介してシャッタ１０を閉じる。
【００８６】
次のステップＳ２４６では、スイッチＳＷ１の状態を判定し、オンされていなければオンされるまでこのステップに留まる。その後、スイッチＳＷ１がオンされると、不図示のＡＦ処理、ＡＥ処理、ＡＷＢ処理、ＥＦ処理等の動作開始を指示する。そして、次のステップＳ２４７にて、スイッチＳＷ２の状態を確認し、オンされていなければオンされるまでこのステップに留まる。その後、スイッチＳＷ２がオンされるとステップＳ２４７へ進み、スイッチＳＷ２がオンされたタイミングで撮影処理を行、次のステップＳ２４９にて動作を終了する。
【００８７】
また、上記のようにステップＳ２３５にて時間設定部３８により設定した所定時間が経っていない場合はステップＳ２３６へ進む。
【００８８】
ここからは、ファインダ光路をＥＶＦからＯＶＦに切り換えないためのシーケンスについて説明する。つまり、観察者がファインダから目を離し、時間設定部３８により設定した所定時間以内に再度ファインダを覗いた場合、もしくは時間設定部３８により設定した所定時間以内にレリーズ動作を行った場合である。
【００８９】
まず、ステップＳ２３６にて、システム制御部３２は、フェイス検知器１９を用いて観察者がファインダを覗いているかどうかを判定し、覗いていればステップＳ２３７へ進む。そして、上記ステップＳ２３１にて時間計測部３４によって計測を始めた時間を時間リセット部３６によりリセットし、ステップＳ２２６へ進む。
【００９０】
また、上記ステップＳ２３６において観察者がファインダを覗き込んでいない場合ステップＳ２３８へ進み、システム制御部３２は、レリーズ動作、すなわちスイッチＳＷ１がオンされたか否かを判定し、オンされていなければステップＳ２３５へ戻る。一方、スイッチＳＷ１がオンされたならばステップＳ２３９へ進み、時間リセット部３６により上記ステップＳ２３１にて時間計測部３４によって計測を始めた時間をリセットして、ＡＦ処理、ＡＥ処理、ＡＷＢ処理、ＥＦ処理等の動作開始を指示する。
【００９１】
次のステップＳ２４０では、スイッチＳＷ２の状態を確認し、オンされていなければオンするまでこのステップに留まる。その後、スイッチＳＷ２がオンされるとステップＳ２４１へ進み、スイッチＳＷ２がオンされたタイミングでシャッタ１０を一度閉じてから撮影する公知の技術であるＥＶＦ状態からの撮影処理を行う。その後はステップＳ２２４へ戻る。
【００９２】
上記のようにステップＳ２３８にてスイッチＳＷ１がオンされなかった場合はステップＳ２３５へ進み、システム制御部３２は、判定部３３を介して再度時間設定部３８により設定した時間が経過したかどうかを判定する。
【００９３】
つまり、撮影関係釦が押され、ＥＶＦ確認モードでなかったとき、フェイス検知されていなければ、時間設定部３８により設定した時間の間は外部表示器にライブビュー画像を表示する。そして、時間設定部３８により設定した時間が経過するまでに、再度フェイス検知もスイッチＳＷ１も押されなかった場合はライブビュー表示を停止し、ファインダをＥＶＦからＯＶＦへ切り換える。
【００９４】
時間設定部３８により設定した時間以内に再度フェイス検知、もしくはスイッチＳＷ１がオンされた場合は時間計測をリセットし、ＥＶＦによるライブビュー撮影を続行する。
【００９５】
このような構成にすることにより、例えば設定時間を０秒に設定しておけば、再生時、撮影関係釦が押され、ＥＶＦ確認モードでなかったとき、フェイス検知されていなければすぐにＥＶＦからＯＶＦに切り換わり、ＯＶＦによる撮影に移行することができる。
また、設定時間を無限に設定しておけば、ステップＳ２３５→Ｓ２３６→Ｓ２３７→Ｓ２２６→Ｓ２２７→Ｓ２２８→Ｓ２２９→Ｓ２３０→Ｓ２２４の巡回シーケンスによりファインダ内または外部表示器によるライブビュー撮影を続けることができる。または、ステップＳ２３５→Ｓ２３６→Ｓ２３８→Ｓ２３９→Ｓ２４０→Ｓ２４１→Ｓ２２４の巡回シーケンスによりファインダ内または外部表示器によるライブビュー撮影を続けることができる。
【００９６】
以上により、上記実施例１と同様、再生モードから撮影モードへの切り換え時、フェイス検知されている場合はＥＶＦからＯＶＦへのファインダの切り換えを行わず、ＥＶＦとしてライブビュー映像をファインダ内部に表示する。このことで、すぐに被写体像の確認に移行できる。よって、シャッタチャンスを逃すことない構成にすることが出来る。
【００９７】
また、再生モードから撮影モードへの切り換え時、フェイス検知されていない場合は光学ファインダに自動で切り換えることで、撮影者が次にファインダを覗いた時には一眼レフカメラの利点である鮮明でちらつきの無い光学ファインダに切り換わっている。よって、切り換え時の煩わしいカメラ動作を撮影者に見せないようにすることができ、撮影者が煩わしい操作をせずに常に最適なファインダ方式を採用することができる。
【実施例３】
【００９８】
次に、本発明の実施例３の撮像装置について説明する。
【００９９】
図１３（ａ），（ｂ）は、本発明の実施例３に係わるＯＶＦとＥＶＦとの切り換えについて図示したものである。本実施例３は、実施例２と同じように第２撮像素子１６は使用せず、第１撮像素子１１を使用する。そして、本実施例３が、上記実施例１，２の構成と異なる点は、ファインダ光路切換ミラー９がハーフミラー１７となっている点である。
【０１００】
図１３（ａ）は、ＯＶＦ時の状態を示している。上記実施例１，２と同じく、被写体光束Ａをペンタプリズム５によって上下、左右の反転を行い、接眼レンズ６，７，８によりハーフミラー１７を通った被写体光束Ａを拡大することで、ＯＶＦとして観察することができる。
【０１０１】
また、本実施例３では、ＯＶＦ撮影時、ファインダ内表示器１５による液晶表示を撮影情報表示に切り換え、被写体像に撮影情報を重畳表示する。撮影情報表示とは、例えば、ＡＦの合焦枠、測距枠、シャッタスピード表示、ＩＳＯ表示、絞り値、電池残量などが挙げられる。もちろんこれに限定されることはなく、撮影時に必要な情報ならば何を表示してもよい。
【０１０２】
図１３（ｂ）は、ＥＶＦ時の状態を示している。ＥＶＦ時は、実施例２と同じく図１３（ａ）の状態からメインミラー３をアップさせ、シャッタ１０を開放状態にすることで被写体光束Ａは、第１撮像素子１１へ導かれる。そして、第１撮像素子１１により撮像された画像がファインダ内表示器１５に表示され、この像をＥＶＦレンズ１２〜１４とＯＶＦの接眼レンズ８との組み合わせによって適正に拡大する。
【０１０３】
ここで、メインミラー３により被写体からの光束は遮ぎられているため、ＥＶＦとして観察することができる。ここに、遮光部は、メインミラー３ではなく、カメラで従来用いられているシャッタを小型に設計してもよい。又、特に、そのようなカメラ用シャッタであることを要せず、不図示の遮光板を移動させて開放状態又は閉鎖状態にしてもよい。又、電気信号で光透過率が変化する材料を用いて、透過光をオン，オフしてもよい。
【０１０４】
また、例えば、ＥＶＦレンズ１２〜１４と、ファインダ内表示器１５、ハーフミラー１７の構成を、波長特性が優れ、限られた波長領域の光を選択的に回折反射する反射型ホログラム光学素子を使用した構成にする。このことで、外界からの光量の損失を低減することができる。さらに、表示品位を高めることができる。
【０１０５】
以上の構成における実施例３の動作について、図１４〜図１６のフローチャートを用いて説明する。
【０１０６】
図１４において、ステップＳ３０１より動作を開始し、先ずステップＳ３０２にて、システム制御部３２は、再生釦１８が押されたかどうかの確認をする。再生釦１８が押されるとステップＳ３０３へ進み、駆動部３５を介してメインミラー３をアップさせ、次のステップＳ３０４にて、再生表示を開始する。
【０１０７】
次のステップＳ３０５では、システム制御部３２は、判定部３３を用いて再生画像の表示器をどれにするかを決定するために、フェイス検知器１９により観察者がファインダを覗き込んでいるかどうかを検知する。観察者がファインダを覗き込んでいればステップＳ３０６へ進み、表示制御部３１を介してファインダ内表示器１５と外部表示器２０の状態を確認する。その結果、ファインダ内表示器１５が起動していて、外部表示器２０が停止している場合は直ちにステップＳ３１０へ進む。一方、ファインダ内表示器１５が停止していて、外部表示器２０が起動している場合はステップＳ３０７へ進み、ファインダ内表示器１５を起動し、外部表示器２０の起動を停止してステップＳ３１０へ進む。
【０１０８】
また、上記ステップＳ３０６にて観察者がファインダを覗きこんでいない場合はステップＳ３０８へ進み、システム制御部３２は、表示制御部３１を介してファインダ内表示器１５と外部表示器２０の状態を確認する。その結果、ファインダ内表示器１５が停止し、外部表示器２０が起動している場合は直ちにステップＳ３１０へ進む。一方、ファインダ内表示器１５が起動しており、外部表示器２０が停止している場合はステップＳ３０９へ進み、外部表示器２０を起動し、ファインダ内表示器１５の起動を停止してステップＳ３１０へ進む。
【０１０９】
次のステップＳ３１０では、駆動部３５によりシャッタ１０を開く。
【０１１０】
上記実施例１，２では、再生モードになった時点でファインダ光路をＥＶＦに切り換える動作を行った。本実施例３では、ハーフミラー１７を使用することにより、切り換え動作無しに、フェイス検知で観察者がファインダを覗き込んだことを検知したら直ぐに再生画像表示を開始できる構成になっている。
【０１１１】
また、撮影モードにてライブビュー表示をする場合、すぐに画像の取り込みを開始できるようにシャッタ１０を開けておく必要がある。しかし、上記実施例２と同様、シャッタ１０を開けるタイミングを、表示開始後に設定することで、再生表示開始とライブビュー画像取り込み開始をもっとも短縮できるシーケンスになっている。
【０１１２】
以下、再生モードから撮影モードへの切り換え時の動作に入る。
【０１１３】
次のステップＳ３１１では、システム制御部３２は、図４に示したＡＦモード選択釦２３等の撮影関連釦が押されたかどうかを判定し、何れも押されていない場合はステップＳ３０５へ戻り、同様の動作を繰り返す。また、何れかの撮影関係釦が押された場合はステップＳ３１２へ進む。ステップＳ３１２へ進むと、システム制御部３２は、現在のモードがＥＶＦ確認モードかどうかを判定する。このステップＳ３１２にてＥＶＦ確認モードであることを判定すると、図１５のステップＳ３１３へ進み、ＥＶＦ確認モードでなければ図１６のステップＳ３２２へ進む。
【０１１４】
まず、ステップＳ３１２にてＥＶＦ確認モードであると判定した場合の、再生モードから撮影モードへの切り換え動作について、図１５のフローチャートを用いて説明する。
【０１１５】
ＥＶＦ確認モードであるとして図１５のステップＳ３１３へ進むと、システム制御部３２は、図１３に示した第２撮像素子１６による画像の取り込みを開始させ、表示制御部３１によりその画像表示をライブビューに切り換える。次のステップＳ３１４では、判定部３３を介してフェイス検知器１９により観察者がファインダを覗き込んでいるかどうかを判定し、覗き込んでいればステップＳ３１５へ進む。そして、ステップＳ３１５では、表示制御部３１を介してファインダ内表示器１５が起動していて、外部表示器２０が停止しているかどうかの判定を行い、そうであれば直ちにステップＳ１１９へ進む。そうでない場合はステップＳ３１６へ進み、ファインダ内表示器１５を起動し、外部表示器２０を停止してステップＳ３１９へ進む。
【０１１６】
また、上記ステップＳ３１４にて観察者がファインダを覗きこんでいない場合はステップＳ３１７へ進む。そして、システム制御部３２は、表示制御部３１を介してファインダ内表示器１５が停止していて、外部表示器２０が起動している状態かどうかを判定し、そうであれば直ちにステップＳ３１９へ進む。また、そうでない場合はステップＳ１７へ進み、ファインダ内表示器１５を停止し、外部表示器２０を起動させる。その後はステップＳ３１９へ進む。
【０１１７】
上記のように、ＥＶＦ確認モードになっていた場合、フェイス検知により観察者がファインダを覗いている場合はＥＶＦにライブビュー画像を表示し、フェイス検知により観察者がファインダを覗いていない場合は外部表示器２０にライブビュー画像を表示する。
【０１１８】
次のステップＳ３１９では、システム制御部３２は、スイッチＳＷ１の状態を確認し、スイッチＳＷ１がオンされていない場合はステップＳ３１４へ戻り、同様の動作を繰り返す。一方、スイッチＳＷ１がオンされていれば、不図示のＡＦ処理、ＡＥ処理、ＡＷＢ処理、ＥＦ等の動作開始を指示する。そして、次のステップＳ３２０にて、スイッチＳＷ２の状態を確認し、スイッチＳＷ２がオンされていなければこのステップに留まる。その後、スイッチＳＷ２がオンされるとステップＳ３２１へ進み、スイッチＳＷ２がオンされたタイミングで撮影処理を行う。その後はステップＳ１１４へ戻る。
【０１１９】
つまり、ＥＶＦ確認モード時はＯＶＦへの切り換えを行わず、ファインダ内表示器１５または外部表示器２０にライブビュー画像を表示することで、白黒撮影やセピア撮影の様な、効果確認を事前に行いながら撮影を続けることができる。
【０１２０】
次に、図１４のステップＳ３１２にてＥＶＦ確認モードに設定されていない場合の、再生モードから撮影モードへの切り換え動作について、図１６のフローチャートを用いて説明する。
【０１２１】
図１４のステップＳ３１２にてＥＶＦ確認モードに設定されていない場合、図１６のステップＳ３２２へ進み、システム制御部３２は、判定部３３を介してフェイス検知器１９を用いて観察者がファインダを覗き込んでいるかどうかを検知する。その結果、覗き込んでいればステップＳ３２３へ進み、第２撮像素子１６により画像の取り込みを開始させ、表示制御部３１を介してその画像表示をライブビュー表示に切り換え、ステップＳ３２４へ進む。
【０１２２】
ステップＳ３２４では、システム制御部３２は、ファインダ内表示器１５が起動していて、外部表示器２０が停止しているかどうかを判定し、そうであれば直ちにステップＳ３２６へ進む。そうでなければステップＳ３２５へ進み、ファインダ内表示器１５を起動し、外部表示器２０を停止してステップＳ３２６へ進む。そして、次のステップＳ３２６では、スイッチＳＷ１の状態を確認し、オンされていなければステップＳ３２２へ戻り、同様の動作を繰り返す。一方、スイッチＳＷ１がオンされると、不図示のＡＦ処理、ＡＥ処理、ＡＷＢ処理、ＥＦ処理等の動作開始を指示し、ステップＳ３２７へ進む。
【０１２３】
次のステップＳ３２７では、システム制御部３２は、スイッチＳＷ２の状態を確認し、オンされていなければオンするまでこのステップに留まる。その後、スイッチＳＷ２がオンされるとステップＳ３２８へ進み、スイッチＳＷ２がオンされたタイミングで撮影処理を行う。その後はステップＳ３２２へ戻る。
【０１２４】
また、上記ステップＳ３２２にて観察者がファインダを覗きこんでいないと判定した場合はステップＳ３２９へ進む。そして、システム制御部３２は、時間計測部３４により上記ステップＳ３２２にてファインダを覗き込んでいないと判定されてからの時間の計測を開始させる。そして、次のステップＳ３３０にて、第２撮像素子１６により画像の取り込みを開始し、表示制御部３１を介してその画像表示をライブビュー画像に切り換える。
【０１２５】
次のステップＳ３３１では、システム制御部３２は、表示制御部３１を介してファインダ内表示器１５が停止していて、外部表示器２０が起動している状態かどうかを判定し、そうであれば直ちにステップＳ３３３へ進む。そうでない場合はステップＳ３３２へ進み、外部表示器２０を起動させ、ファインダ内表示器１５を停止する。そして、次のステップＳ３３３にて、判定部３３を介して上記ステップＳ３２９で時間計測部３４によって計測を始めた時間が時間設定部３８により設定した所定時間が経っているかどうかを判定する。時間設定部３８により設定した所定時間が経っている場合はステップＳ３４０へ進み、そうでない場合はステップＳ３３４へ進む。
【０１２６】
上記のように時間設定部３８により設定した所定時間が経っている場合は、システム制御部３２は、表示制御部３１を介して外部表示器２０を停止し、ステップＳ３４１へ進む。そして、次のステップＳ３４１にて、駆動部３５を介してメインミラー３をダウンさせ、続くステップＳ３４２にて、表示制御部３１を介してファインダ内表示器１５に撮影情報を表示し、ステップＳ３４３へ進む。ステップＳ３４３では、駆動部３５を介してシャッタ１０を閉じる。
【０１２７】
次のステップＳ３４４では、スイッチＳＷ１の状態を判定し、オンされていなければオンされるまでこのステップに留まる。その後、スイッチＳＷ１がオンされると、不図示のＡＦ処理、ＡＥ処理、ＡＷＢ処理、ＥＦ処理等の動作開始を指示する。そして、次のステップＳ３４５にて、スイッチＳＷ２の状態を確認し、オンされていなければオンされるまでこのステップに留まる。その後、スイッチＳＷ２がオンされるとステップＳ３４６へ進み、スイッチＳＷ２がオンされたタイミングで撮影処理を行う。
【０１２８】
また、上記のようにステップＳ３３３にて時間設定部３８により設定した所定時間が経っていない場合はステップＳ３３４へ進む。
【０１２９】
ここからは、ファインダ光路をＥＶＦからＯＶＦに切り換えないためのシーケンスについて説明する。つまり、観察者がファインダから目を離し、時間設定部３８により設定した所定時間以内に再度ファインダを覗いた場合、もしくは時間設定部３８により設定した所定時間以内にレリーズ動作を行った場合である。
【０１３０】
まず、ステップＳ３３４にて、システム制御部３２は、フェイス検知器１９を用いて観察者がファインダを覗いているかどうかを判定し、覗いていればステップＳ３３５へ進む。そして、上記ステップＳ１２９にて時間計測部３４によって計測を始めた時間を時間リセット部３６によりリセットし、ステップＳ３２４へ進む。
【０１３１】
また、上記ステップＳ３３４において観察者がファインダを覗き込んでいない場合ステップＳ３３６へ進み、システム制御部３２は、レリーズ動作、すなわちスイッチＳＷ１がオンされたか否かを判定し、オンされていなければステップＳ３３３へ戻る。一方、スイッチＳＷ１がオンされたならばステップＳ３３７へ進み、時間リセット部３６により上記ステップＳ３２９にて時間計測部３４によって計測を始めた時間をリセットして、ＡＦ処理、ＡＥ処理、ＡＷＢ処理、ＥＦ処理等の動作開始を指示する。
【０１３２】
次のステップＳ３３８では、スイッチＳＷ２の状態を確認し、オンされていなければオンするまでこのステップに留まる。その後、スイッチＳＷ２がオンされるとステップＳ３３９へ進み、スイッチＳＷ２がオンされたタイミングで撮影処理を行う。その後はステップＳ１２２へ戻る。
【０１３３】
上記のようにステップＳ３３６にてスイッチＳＷ１がオンされなかった場合はステップＳ３３３へ進み、システム制御部３２は、判定部３３を介して再度時間設定部３８により設定した時間が経過したかどうかを判定する。
【０１３４】
つまり、撮影関係釦が押され、ＥＶＦ確認モードでなかったとき、フェイス検知されていなければ、時間設定部３８により設定した時間の間は外部表示器にライブビュー画像を表示する。そして、時間設定部３８により設定した時間が経過するまでに、再度フェイス検知もスイッチＳＷ１も押されなかった場合はライブビュー表示を停止し、ファインダをＥＶＦからＯＶＦへ切り換える。
【０１３５】
時間設定部３８により設定した時間以内に再度フェイス検知、もしくはスイッチＳＷ１がオンされた場合は時間計測をリセットし、ＥＶＦによるライブビュー撮影を続行する。
【０１３６】
このような構成にすることにより、例えば設定時間を０秒に設定しておけば、再生時、撮影関係釦が押され、ＥＶＦ確認モードでなかったとき、フェイス検知されていなければすぐにＥＶＦからＯＶＦに切り換わり、ＯＶＦによる撮影に移行することができる。
【０１３７】
また、設定時間を無限に設定しておけば、ステップＳ３３３→Ｓ３３４→Ｓ３３５→Ｓ３２４→Ｓ３２５→Ｓ３２６→Ｓ３２７→Ｓ３２８→Ｓ３２２の巡回シーケンスによりファインダ内または外部表示器によるライブビュー撮影を続けることができる。または、ステップＳ３３３→Ｓ３３４→Ｓ３３６→Ｓ３３７→Ｓ３３８→Ｓ３３９→Ｓ３２２の巡回シーケンスによりファインダ内または外部表示器によるライブビュー撮影を続けることができる。
【０１３８】
以上により、再生モードから撮影モードへの切り換え時、フェイス検知されている場合はＥＶＦからＯＶＦへのファインダの切り換えを行わず、ＥＶＦとしてライブビュー映像をファインダ内部に表示することで、すぐに被写体像の確認に移行できる。よって、シャッタチャンスを逃すことない構成にすることが出来る。
【０１３９】
また、再生モードから撮影モードへの切り換え時、フェイス検知されていない場合は光学ファインダに自動で切り換えることで、撮影者が次にファインダを覗いた時には一眼レフカメラの利点である鮮明でちらつきの無い光学ファインダに切り換わっている。よって、切り換え時の煩わしいカメラ動作を撮影者に見せないようにすることができ、撮影者が煩わしい操作をせずに常に最適なファインダ方式を採用することができる。
【０１４０】
上記各実施例によれば、静止画または動画の再生画像表示を行う再生モードと被写体を撮影する撮影モードとを有し、ファインダ光路をＯＶＦ（光学ファインダ）とＥＶＦ（電子ファインダ）のいずれかに切り換え可能な撮像装置に関するものである。この種の撮像装置において、再生モードへの切り換えに連動して、ＯＶＦからＥＶＦへの切り換えを行うようにしている。よって、撮影者は煩わしい操作をすることなく、直ちに再生画像を確認することができる。さらに、再生モード中に、撮影関係釦の操作（撮影関連操作）が行われると、撮影モードを開始可能である。よって、撮影者がいちいちモードの切り換えをする必要が無く、操作性のよいものとなる。
【０１４１】
ファインダを覗いているか否かを検知するフェイス検知器１９（接眼検知手段）を有する。そして、再生モードから撮影モードに入る際に、前記フェイス検知器１９によりファインダを覗いていることが検知された場合には、再生モードにて切り換えられていたＥＶＦを維持させるシステム制御部３２（ファインダ切換制御手段）を有する。このシステム制御部３２は、フェイス検知器１９によりファインダを覗いていないことが検知された場合には、ＯＶＦに切り換えさせる。よって、撮影者の意図に応じたファインダ切り換えを自動的に行うことができる。
【０１４２】
システム制御部３２（ファインダ切換制御手段）は、再生モードから撮影モードに入る際に、フェイス検知器１９によりファインダを覗いていないことが検知された場合に、該検知から所定時間を待ってＯＶＦに切り換えさせる。
【０１４３】
システム制御部３２（ファインダ切換制御手段）は、前記所定時間内にファインダを覗いていることが検知されたときには、ＯＶＦに切り換えさせない。また、システム制御部３２は、前記所定時間内にスイッチＳＷ１のオンにより撮影準備動作が開始されたときには、ＯＶＦに切り換えさせない。
【０１４４】
また、再生モードから撮影モードへの切り換え時に、所定の条件を満たすことが判定されている場合に、ＥＶＦからＯＶＦへの切り換えを行うようにしている。なお、所定の条件を満たす場合は、時間計測部３４により計測される所定時間、フェイス検知器１９によりファインダを覗いていないことが検知されている場合などである。一方、所定条件を満たさない場合としては、ＥＶＦによるクイックレビューをするモード、特殊撮影モード（連写モード、ブラケティング撮影モード、動画撮影モード、特殊効果確認モード）などである。
【０１４５】
ＥＶＦは、ファインダ光路に設けられたファインダ内表示器１５（ファインダ内表示手段）を有する。ファインダ内表示器１５は、ファインダ光路に設けられた第２撮像素子１６（撮像手段）からの被写体像を表示する。または、ファインダ内表示器１５は、撮影光路に設けられた第１撮像素子１１（撮像手段）からの被写体像を表示する。
【０１４６】
また、ＯＶＦからＥＶＦへの切り換えを行うには、ファインダ光路切換ミラー９による光路切り換えにより、ＥＶＦ光学系の光軸をＯＶＦ光学系の光軸に一致させることで、表示を確認可能となるように構成している。詳しくは、ハーフミラーにより、ＥＶＦ光学系の光軸をＯＶＦ光学系の光軸に一致させ、被写体光を遮光することで表示を確認可能にしている。
【０１４７】
また、再生モード時は、ＥＶＦに再生画像を表示し、ＯＶＦ時はファインダ内表示器１５による液晶表示を撮影情報表示に切り換え、被写体像に撮影情報を重畳表示する。
【符号の説明】
【０１４８】
１１  第１撮像素子
１５  ファインダ内表示器
１６  第２撮像素子
１８  再生釦
１９  フェイス検知器
２０  外部表示器
２５  撮像部
３１  表示制御部
３２  システム制御部
【図１】
2011193075.tif 000003
【図２】
2011193075.tif 000004
【図３】
2011193075.tif 000005
【図４】
2011193075.tif 000006
【図５】
2011193075.tif 000007
【図６】
2011193075.tif 000008
【図７】
2011193075.tif 000009
【図８】
2011193075.tif 000010
【図９】
2011193075.tif 000011
【図１０】
2011193075.tif 000012
【図１１】
2011193075.tif 000013
【図１２】
2011193075.tif 000014
【図１３】
2011193075.tif 000015
【図１４】
2011193075.tif 000016
【図１５】
2011193075.tif 000017
【図１６】
2011193075.tif 000018